(57)【特許請求の範囲】
【請求項１】
仕切要素（９０）を案内するために使用され、レール（５）で案内される走行装置（１）をロックするためのロック装置（２）であって、該ロック装置（２）は、前記走行装置（１）に接続されており、ロックピン（２３）が移動可能に取付けられている本体（２１、２２）を有し、前記ロックピン（２３）は、弾性要素（２４）によって第１の位置に弾性的に保持されており、力を作用させることによって、前記レール（５）に設けられた又は前記レール（５）に接続されているロック要素（３６、５３）に前記ロックピン（２３）が係合する前記第１の位置から、前記ロックピン（２３）が前記ロック要素（３６、５３）との係合から解放される第２の位置に移動できるようになっており、
前記ロック装置（２）の前記本体がはさみ具状のクランプ要素（２７）を形成する２つの部材（２１、２２）を備え、前記クランプ要素（２７）が前記走行装置（１）の本体（１１１）の一部に確実に締め付けられるようになっているレールで案内される走行装置をロックするためのロック装置。
【請求項２】
前記ロック装置（２）の前記本体の前記部材（２１、２２）は、互いに結合された後、前記ロックピン（２３）を収容する機能を果たすチャンバ（２６）を形成する、請求項１に記載のレールで案内される走行装置をロックするためのロック装置。
【請求項３】
前記ロックピン（２３）は、前記チャンバ（２６）内に設けられたカラー（２３１）を備え、前記ロック装置（２）の前記本体の両部材（２１，２２）の開口部（２６１、２６３）を通って前記チャンバの外側に出ており、該開口部（２６１、２６３）が前記チャンバ（２６）より小さい直径を有し、第１のフランジおよび第２のフランジ（２６２、２６４）によって囲まれており、前記チャンバ（２６）内のバネ要素（２４）は前記ロックピン（２３）を包囲しており、前記バネ要素の一端が前記第１のフランジ（２６２）を圧迫し、前記バネ要素の他端が前記カラー（２３１）を前記第２のフランジ（２６４）に押し付け、前記バネ要素が前記ロックピン（２３）を前記第１の位置に保持している、請求項２に記載のレールで案内される走行装置をロックするためのロック装置。
【請求項４】
前記ロック要素（３６、５３）が、緩衝装置（３）に接続されており、前記緩衝装置（３）は、前記レール（５）内に設置されており、前記ロック装置（２）に面する弾性部材（３７）を備える、請求項１に記載のレールで案内される走行装置をロックするためのロック装置。
【請求項５】
前記ロック要素（５３）が前記レール（５）に接続されている、若しくは前記レール（５）の一部となっている、請求項１に記載のレールで案内される走行装置をロックするためのロック装置。
【請求項６】
前記緩衝装置（３）に接続された前記ロック要素（３６、５３）は、プレート状あるいは舌状の構成を有しており、前記走行装置（１）に接続された前記ロック装置（２）が前記緩衝装置（３）に突き当たった後に前記ロックピン（２３）が前記ロック要素（３６，５３）に設けられた開口部（３６３、５３）に貫入するように取付けられている、請求項４に記載のレールで案内される走行装置をロックするためのロック装置。
【請求項７】
前記ロック要素（３６）が上方に傾斜しており、前記ロックピン（２３）が前記ロック要素の下にもぐり込んで前記ロック要素を押し上げる、又は前記開口部（３６３、５３）に貫入するまで前記ロックピン（２３）が前記ロック要素によって押し下げられるようになっている、請求項６に記載のレールで案内される走行装置をロックするためのロック装置。
【請求項８】
前記ロックピンは、ひも（４）によって手動で、又はコイル（８１）によって電磁気により、前記第１の位置から前記第２の位置に移動可能である、請求項１に記載のレールで案内される走行装置をロックするためのロック装置。
【請求項９】
前記ロック装置（２）は、前記ロックピン（２３）が、新たに手動又は電磁力による作動によって、再度解放されて前記第１の位置に戻ることができるまで、前記第２の位置に前記ロックピン（２３）を確実に保持する機構を備えている、請求項７に記載のレールで案内される走行装置をロックするためのロック装置。
【請求項１０】
前記チャンバ（２６）と、該チャンバ内で案内されており前記ロックピン（２３）に属する前記カラー（２３１）とが、矩形断面を有する、請求項３に記載のレールで案内される走行装置をロックするためのロック装置。
【発明の詳細な説明】
【０００１】
【発明の属する技術分野】
本発明は、特に摺動式扉、摺動式カウンタ、又は折りたたみ式の壁のような仕切要素を案内するために使用されレールで案内される走行装置をロックするためのロック装置に関する。
【０００２】
【従来の技術】
部屋を分割したり、部屋の様式を整えたり、あるいは部屋や窓の開口部を閉鎖するために、ガラス製や木製の壁、スクリーン、扉、カウンタがよく使用され、それらはレールに沿って移動できる走行装置に固定されたり、場合によっては回転可能に取付けられている。
【０００３】
以下に仕切要素と呼称されるこれらの部材は、通常、２カ所の終端位置の間を移動でき、走行装置は、これら終端位置において、レール内に設けられた緩衝装置に突き当たるようになっている。
【０００４】
図８に示され、欧州特許出願公開第ＥＰ  ０  ７３３  ７６６  Ａ２号公報および国際公開第ＷＯ  ００／５５４６０号公報に記載されているこのタイプの緩衝装置は、取付けネジ０３５によってレール５内に固定された緩衝要素０３１を有する。緩衝要素０３１は弾性部材０３７を支持しており、弾性部材０３７は走行装置１の本体１１の終端停止装置（エンドストップ）として機能する。さらに、バネ要素０３６が緩衝要素０３１によって保持されており、前記走行装置１が弾性部材０３７に突き当たるやいなや、この走行装置と共にスナップ留め式の接続部を形成する。このプロセスにおいて、曲げバネ要素０３６は、走行装置１に属する走行車輪１３の中央部の上に持ち上がり、走行装置１が弾性部材０３７に到達するやいなや走行車輪１３をしっかり締めつける。
【０００５】
このようにしてしっかり保持されて且つ図８の構成では固定装置９１および接続ネジ１５によって走行装置１に接続された仕切要素９０を移動させるためには、先ず、軽く押すか衝撃を与えることによって仕切要素９０を解放させる。
【０００６】
したがって、上述した装置は仕切要素を保持するには適しているが、しっかりロックするか、閉鎖するのには適していない。
【０００７】
したがって、仕切要素は、確実に空間を閉鎖して仕切るために、ボルトを備えるか、あるいは、仕切要素の閉鎖位置において、例えば石材部分又はコンクリート部分に接続された閉鎖装置（ｃｌｏｓｕｒｅ）内に移動できるスライダを備えることが多い。
【０００８】
【発明が解決しようとする課題】
しかしながら、石材でできた内側又は外側の壁に閉鎖装置を取付けるにはかなりの労力を要する。今日使用され石材部分に付加されている断熱材は比較的柔らかいため、要求される安定性を以って、閉鎖装置や閉鎖板、その他のものを石材部分にしっかりと固定することはほとんど不可能である。したがって、このような閉鎖装置によって、許されないアクセスを防ぐことに対して信頼性の高い保障を与えることはほとんど達成不可能である。さらに、石材部分に取付けられた閉鎖装置や閉鎖板は、多くの場合、美観を損なうようである。
【０００９】
さらに、比較的大きな部屋、ホール、又は講堂をさらに細かく区画する目的で、図９に示されているように、蝶番９０５によって互いに接続された折りたたみ式の仕切要素９０２、９０３、９０４が使用される。これらの仕切要素９０２、９０３、９０４は、一直線上に整列させられ、例えば、関連する扉（ドア）９０１が閉じられた後にドアロック９０６によってロックされることによって、ロックされる。閉鎖可能なドアを使用したこうした構造は、同様に、非常に複雑であり、既存の要求に合致しないことも多い。石材部分に取付けられたこのような閉鎖装置や閉鎖板を使用することは、折りたたみ式仕切要素９０２、９０３、９０４の場合でも可能であるが、同じ問題を伴う。
【００１０】
右手の仕切要素９０４も蝶番９０５によって、隣接するフレーム１０００に接続され得る。しかし、この場合にはそれ以後は移動できなくなる。
【００１１】
従って、本発明は、前述の欠点のない、レール内で案内される走行装置をロックするためのロック装置を提供する目的に基づいている。
【００１２】
【課題を解決するための手段】
この目的は、請求項１に記載の特徴を有する装置によって達成される。さらに、本発明の利点を有した改変実施形態が他の請求項に記載されている。
【００１３】
本発明によるロック装置は、レールで案内される走行装置をロックするために使用され、走行装置に接続されている又は接続可能となっており、ロックピンが移動可能に取付けられている本体を有し、このロックピンは、弾性要素によって第１の位置に弾性的に保持されており、力を作用させることによって、レールに直接的又は間接的に接続されているロック要素とロックピンが係合可能となる第１の位置から、ロックピンがロック要素との係合から解放される第２の位置に移動できるようになっている。
【００１４】
したがって、簡単で費用効率よく構成されている本発明のロック装置は、走行装置によって案内される摺動式扉、摺動式カウンタ、折りたたみ式の壁のような仕切要素の確実な閉鎖を可能とさせる。本ロック装置は、手動又は電磁気により簡単に作動させられ得る。閉鎖板又はロック板のような閉鎖用又はロック用の装置の部材を石材部分に取付ける必要がもはやなく、レールと一体化できるのは特に有利な点である。
【００１５】
ロック要素は、如何なる場合であっても存在するレールの一部、又は、好ましくは、レールに取付けられて通常は仕切要素が閉鎖されるべき位置で仕切要素を停止させる緩衝装置の一部とされ得る。したがって、本発明による解決方法は、ロック機能、閉鎖機能、および緩衝機能を１つの構成に組み合わせている。
【００１６】
ロック装置とロック要素との間で形状がぴたりと合った接続を可能とさせることによって、信頼性が高く確実な仕切要素の閉鎖が達成される。これにより、ロック装置を必要とすることなく、信頼性の高い侵入防止機能が得られる。
【００１７】
本ロック装置は、さらに、材料の加工除去を回避して、１つの走行装置の金属部品又は本体に後から取付けられることもできる。
【００１８】
本ロック装置および関連のロック要素は、走行レール内に設けられるので、損壊する可能性もない。ひも、コード、鎖のような本ロック装置の手動操作用部材が、ロック装置に取付けられているが、開かれたときには自動的に押しのけられて、外側からは見たり触れて握ったりすることもできなくなる。さらに、本ロック装置を電磁気により作動させることもでき、ロック装置の中央制御が可能となる。
【００１９】
好ましい改変実施形態では、本ロック装置は簡単な手法により、ロック装置が常に自動的に閉鎖する第１の状態と、ロック装置が閉鎖しない第２の状態とを切り替え可能にすることができる。
【００２０】
【発明の実施の形態】
以下に、図面を参照して本発明のさらなる詳細を説明する。
図１は断面図にてレール５を示しており、手動で作動させるロック装置２を備えた走行装置１が案内されて緩衝装置３に接触し、緩衝装置によって保持されている。図２はロック装置２を備えた走行装置１と緩衝装置３とを上方から見た状態を示しており、プレート状のロック要素３６が一部切断した状態で示され、ロック要素３６が固定ネジ３４によって緩衝装置３に接続されている。図３はロック装置２を備えた走行装置１と緩衝装置３とを上方から見た状態を示しており、ロック要素３６が、部分的にロック装置２を越えて突出し、ロックピン２３によって保持されている。図４はロック装置２および緩衝装置３を詳細に示している。図５はロック装置２と一体化した走行装置１を示している。図６はロック装置２を示しており、このロック装置２は、ロック装置２が常に自動的に閉じる第１の状態と、ロック装置２が閉じない第２の状態とを手動で切り替えることができる。図７は、電磁気により作動可能なロックピン２３を備えた図１のロック装置２を示している。図８は、レール５および走行装置１を備えた、仕切要素９０を案内するための公知の装置を示している。図９は、扉９０１と共に部屋を閉鎖又は分割するために使用されている折りたたみ式の仕切要素９０２、９０３、および９０４を示している。
【００２１】
図１は断面図によりレール５を示しており、レール５内では、接続ネジ１５を介して仕切要素に接続された走行装置１が案内され、手動で作動されるロック装置２に接続されている。走行装置１は、走行装置本体１１と、レール５の走行面５１上を走行し且つ軸１４によって取付けられている２つの車輪１２および１３とを有し、緩衝装置３によって形成され走行経路に属する右手側停止装置の位置にある。
【００２２】
ロック装置２の本体は部材２１および２２を備える。これら部材２１、２２は、接続手段２５すなわちネジ２５２およびナット２５１によって互いに接続され、はさみ具状のクランプ要素２７（図４を参照）を有しており、これらクランプ要素２７が走行装置本体１１の周囲をしっかりと締め付け、走行装置本体１１と固く接続されている。部材２１、２２は、互いに固定し合うために、クランプ要素２７と反対側に固定手段２９を有することが好ましい。
【００２３】
ロック装置２の相互に接続された２つの部材２１、２２は、開口部２６１、２６３が設けられたチャンバ（すなわち室）２６を形成し、開口部２６１、２６３はロックピン２３がそこを通るように導くために使用され、チャンバ２６より小さい直径を有し、よって内側に向いた第１のフランジ２６２および第２のフランジ２６４に囲まれている。
【００２４】
両側をそれぞれフランジ２６２、２６４によって閉鎖されたチャンバ２６内には、バネ要素すなわち渦巻バネ２４が配置されており、渦巻バネ２４はロックピン２３を囲み、一方側では第１のフランジ２６２を圧迫し、他方側ではロックピン２３に接続されたカラー２３１を第２のフランジ２６４に押し付け、このようにしてロックピン２３をそれがロック要素３６と係合可能な第１の位置に弾性的に保持する。したがって、外力を作用させるだけで、開口部２６１、２６３内に移動可能に取付けられたロックピン２３を、上記第１の位置から、ロックピン２３がロック要素３６との係合から解放される第２の位置に移動させることができる。
【００２５】
チャンバ２６と、その中で案内されロックピン２３に属するカラー２３１は、矩形の断面形状を有し、ロックピン２３が軸線方向に移動する間に回転、傾斜し得ないようにすることが好ましい。この簡単な方法によって、本ロック装置の欠点のない動作が保証される。
【００２６】
手動による作動のために、ロックピン２３はひも４に接続されているが、コードや鎖の使用も可能であり、それらを用いてロックピン２３を軸線方向に移動させることができる。走行装置１に接続された仕切要素９０の移動の際には、ひも４は仕切要素９０と共に案内され（図８参照）、よって外側からは見えず、また触れて握られることもない。
【００２７】
図１に示されている本発明の好ましい改変実施形態では、ロック要素３６が固定ネジ３４によって緩衝装置３に接続されており、その結果、ロック機能、閉鎖機能、および緩衝機能が１つの構成で組み合わされる。このために、取付ネジ３５によってレール５内に固定された緩衝装置３は弾性部材３７を有し、走行装置１に接続されたロック装置２は終端に到達すると弾性部材３７に突き当たる。
【００２８】
図２および図３に示されているように、ロック装置２へ向かって整列させられたロック要素３６は、プレート状又は舌状の構成を有しており、ロック装置２が緩衝装置３に突き当たった後に、ロックピン２３がロック要素３６に設けられた開口部３６３内に貫入するように取付けられている。したがって、ロック装置２を備えた走行装置１は緩衝装置３によって停止させられると、緩衝装置３に保持される。
【００２９】
ロック要素３６の走行装置１に面する部分は、好ましくは、上方に傾斜しており、ロックピン２３がその部分の下にもぐり込み（又は、入り込み）、開口部３６３に貫入するまでロックピン２３がその部分を押し上げ、すなわちその部分によって押し下げられようにされている。
【００３０】
緩衝装置３は、取付ネジ３５を収容するネジ穴３２と、ロック要素３６を固定するように機能する固定ネジ３４を受容するネジ穴３３とを有し、レール５の走行面５１に押し付けられており、こうして、ロック要素３６の穴３６１の中に案内されてレール５の中央部分５２に接触している取付ネジ３５によって固定されている。ロック要素３６の穴３６１の中に案内された取付ネジ３５を緩め、緩衝装置３を移動させることによって、仕切要素の閉鎖位置を正確に定めることができる。
【００３１】
ロックピン２３をロック要素３６とぴたりと合った形状で係合させることにより、仕切要素の高い信頼性の確実な閉鎖を実現することができる。これによって、別途にロックを必要とすることなく、信頼性の高い侵入防止機能を持たせることができる。ロック装置２およびロック要素３６はレール５内に配置されているので、使用者からはほとんど見えない。
【００３２】
図８に示されているように、１つの走行装置１と緩衝装置３とを有する案内システムに、簡単な手法で後からでもロック装置２を具備させることもできる。
【００３３】
しかしながら、図５が示しているように、ロック装置２は走行装置１と一体化できることによる利点もある。ロックピン２３とチャンバ２６内の渦巻バネ２４とを収容するように機能するロック装置２の第１の部材１１２１は、走行装置１の本体１１１に接続され、好ましくは、本体１１１と一体に鋳造で製作される。チャンバ２６は相対的に薄い第２の部材１１２２によって閉じられ、第２の部材１１２２はネジ２５２によって第１の部材１１２１に接続されている。したがって、図５に示されている装置は、走行装置１およびロック装置２を備え、一層小型で堅固に構成することができる。
【００３４】
図６は好ましい改変実施形態における手動で作動させられるロック装置２を示しており、ロックピン２３は少なくとも２つの位置の間で位置を変えることができるようになっている。このため、少なくとも１つの保持要素２８１を有する機構２８が設けられ、ロックピン２３に接続されたカム２３２にフック係合するために使用されている。ロックピン２３を引っ張ることによって、ロックピン２３が保持用要素２８１にフック係合し、再度引っ張ることによって解放される。このタイプの機構は、例えばボールペンに用いられている。したがって、このようにして、ロック装置２の作動を停止させることができ、関連する仕切要素を、ロックさせることなく終端停止装置まで移動させることができる。仕切要素をロックする必要のあるときにだけ、ロックピン２３はロックを解除されて第１の位置に戻される。
【００３５】
さらに図６は、レール５の上側中央部分５２にも開口部５３を設けることができ、その中にロックピン２３が導入され得ることを示している。このようにして、走行装置１は、ロック要素３６を備えた緩衝装置３においてだけでなく、開口部５３が設けられているレール５内の走行経路に沿った様々な位置で固定されることができる。
【００３６】
上述したように、ロックピン２３の作動は、最も簡単には、手動で行われる。しかしながら、図７が示しているように、ロックピン２３を電磁気により作動させることも可能である。このために、例えば、ロックピン２３を包囲するコイル８１を設け、制御ユニット８０から電流を供給することができる。制御ユニット８０は供給線８２に接続され、さらに、制御線８３を介して例えばスイッチに接続されている。力の作用を最適にさせるために、コイル８１は斜めに配置され、ロックピン２３が大きな範囲で包囲され、それにもかかわらず、緩衝装置３に衝突することなく緩衝装置３に対して横から入り込むことができるようになっている。このようにして、ロック装置２は中央制御でロックを解除されることができるが、この方式は、仕切要素が同様に中央制御システムに接続されているモータによって移動させられる場合には特に有利である。
【００３７】
走行装置１は、両側にロック装置２を具備することもできる。通常、摺動式扉、摺動式カウンタ、折りたたみ式の壁のような仕切要素９０は、走行装置１によって案内される。しかしながら、本発明は都合のよいことに、他のものが走行装置１に接続される場合にも利用できる。
また当然ながら、走行装置と緩衝装置は、多様な構成で実施され得る。
【図面の簡単な説明】
【図１】断面図にてレールを示しており、手動で作動させるロック装置を備えた走行装置が案内されて緩衝装置に接触し、緩衝装置によって保持されている。
【図２】ロック装置を備えた走行装置と緩衝装置とを上方から見た状態を示しており、プレート状のロック要素が一部切断した状態で示され、ロック要素が固定ネジによって緩衝装置に接続されている。
【図３】ロック装置を備えた走行装置と緩衝装置とを上方から見た状態を示しており、ロック要素が、部分的にロック装置を越えて突出し、ロックピンによって保持されている。
【図４】ロック装置および緩衝装置を詳細に示している。
【図５】ロック装置と一体化した走行装置を示している。
【図６】ロック装置を示しており、このロック装置は、ロック装置が常に自動的に閉鎖する第１の状態と、ロック装置が閉じない第２の状態とを手動で切り替えることができる。
【図７】電磁気により作動可能なロックピンを備えた図１のロック装置を示している。
【図８】レールおよび走行装置を備えた、仕切要素を案内するための公知の装置を示している。
【図９】扉９０１と共に部屋を閉鎖又は分割するために使用されている折りたたみ式の仕切要素９０２、９０３、および９０４を示している。
【符号の説明】
１…走行装置
２…ロック装置
３…緩衝装置
５…レール
２１…部材
２２…部材
２３…ロックピン
２４…渦巻バネ
２６…チャンバ
２７…クランプ要素
３６…ロック要素
５３…開口
９０…仕切要素
２３１…カラー
２６１…開口部
２６２…フランジ
２６３…開口部
２６４…フランジ
３６３…開口部
【図１】
0004246442.tif 000002
【図２】
0004246442.tif 000003
【図３】
0004246442.tif 000004
【図４】
0004246442.tif 000005
【図５】
0004246442.tif 000006
【図６】
0004246442.tif 000007
【図７】
0004246442.tif 000008
【図８】
0004246442.tif 000009
【図９】
0004246442.tif 000010